(57)【要約】【課題】湾曲する表示パネルを有する表示装置であっても、外部に機器を設けずに、輝度センサーの周辺以外についても輝度むらの補正を行うことが可能な表示装置を提供する。【解決手段】両端部に対して中央部側が窪むように湾曲する表示画面における両端部の少なくとも一方の端部に設けられ、表示画面の輝度を検出する輝度センサーと、輝度センサーの検出結果に基づいて、表示画面の輝度むらが無くなるように映像信号を補正する輝度補正部を有する。また、輝度センサーが測定する表示画面上の位置に対する輝度センサーが設けられた位置と表示画面を視認する位置として予め定められた基準の位置を表す基準位置とのなす角度である補正視野角と、輝度値との関係を表す視野角特性情報を記憶する視野角特性記憶部を有し、輝度補正部は、視野角特性情報に基づいて、輝度センサーから得られた測定結果を補正し、輝度むらを補正してもよい。【選択図】図１
2017156383.tif 000002
【特許請求の範囲】
【請求項１】
両端部に対して中央部側が窪むように湾曲する表示画面における前記両端部の少なくとも一方の端部に設けられ、前記表示画面の輝度を検出する輝度センサーと、
前記輝度センサーの検出結果に基づいて、前記表示画面の輝度むらが無くなるように映像信号を補正する輝度補正部
を有する表示装置。
【請求項２】
前記輝度センサーが測定する表示画面上の位置に対する前記輝度センサーが設けられた位置と前記表示画面を視認する位置として予め定められた基準の位置を表す基準位置とのなす角度である補正視野角と、輝度値との関係を表す視野角特性情報を記憶する視野角特性記憶部を有し、
前記輝度補正部は、前記視野角特性情報に基づいて、前記輝度センサーから得られた測定結果を補正し、前記輝度むらを補正する
請求項１記載の表示装置。
【請求項３】
前記輝度センサーは、第１輝度センサーと第２輝度センサーとから構成され、湾曲する両端部のうち一方の端部に前記第１輝度センサーが設けられ前記表示画面のうち第１領域の輝度を測定し、他方の端部に前記第２輝度センサーが設けられ前記表示画面のうち前記第１領域とは少なくとも一部が異なる領域である第２領域の輝度を測定し、
前記輝度補正部は、前記第１輝度センサーによって得られる検出結果に基づいて前記第１領域における輝度むらを補正し、前記第２輝度センサーによって得られる検出結果に基づいて前記第２領域における輝度むらを補正する
請求項１または請求項２記載の表示装置。
【請求項４】
前記表示画面は、複数の表示パネルから構成される
請求項１から請求項３のうちいずれか１項に記載の表示装置。
【請求項５】
両端部に対して中央部側が窪むように湾曲する表示画面における前記両端部の少なくとも一方の端部に設けられる輝度センサーによって、前記表示画面の輝度を検出し、
前記輝度センサーの検出結果に基づいて、前記表示画面の輝度むらが無くなるように映像信号を補正する
表示装置の輝度むら補正方法。
【発明の詳細な説明】
【技術分野】
【０００１】
本発明は、表示装置、表示装置の輝度むら補正方法に関する。
【背景技術】
【０００２】
表示装置に用いられる表示パネルの輝度は、経年変化する。そのため、経年変化が生じると、一般に、表示パネルの輝度むらは大きくなる。また、表示パネルの輝度むらがないように輝度を均一化したとしても、経年により、輝度ユニフォミティは経年変化する。
これらの経年変化を補正するためには、例えば、表示パネルから離れた場所から表示パネルの輝度をカメラで撮影し、撮影結果を基に補正する方法がある。また、表示パネルに外付けの輝度センサーを設置し、この輝度センサーによって得られた結果を基に補正を行う方法がある。また、内部に輝度センサーが設けられた表示装置もある。この表示装置では、表示パネルのいずれかの位置に輝度センサーが設置され、当該輝度センサー周辺の輝度を元に輝度むらを補正する。
一方で、近年、湾曲した液晶パネルや、曲げることが可能な有機ＥＬ（エレクトロルミネッセンス）パネルが開発されている（例えば、先行技術文献１）。これらの表示画面が湾曲している表示パネルを用いた表示装置において、上述の技術を適用することで、輝度や輝度ユニフォミティの経年変化を補正することが考えられる。
【先行技術文献】
【特許文献】
【０００３】
【特許文献１】特開２０１５−１６１７６６号公報
【発明の概要】
【発明が解決しようとする課題】
【０００４】
しかしながら、上述したカメラを用いる方法や外部に輝度センサーを設ける方法では、表示装置に対して外部に機器を設ける必要があるため、表示装置単体では輝度むらを補正できない。内部に輝度センサーが設けられた表示装置では、表示パネルのうち輝度センサー周辺以外については、輝度を精度良く検出することができないため、輝度むらの補正精度が低下する。また、表示パネルは平面状であるため表示画面全域を内部の輝度センサーで検出することが難しいため、表示装置単体では精度よく輝度むらを補正することが難しい。
【０００５】
本発明は、このような事情に鑑みてなされたもので、その目的は、湾曲する表示パネルを有する表示装置であっても、外部に機器を設けることなく、輝度センサーの周辺以外についても輝度むらの補正を行うことが可能な表示装置、表示装置の輝度むら補正方法を提供することにある。
【課題を解決するための手段】
【０００６】
上述した課題を解決するために、本発明は、両端部に対して中央部側が窪むように湾曲する表示画面における前記両端部の少なくとも一方の端部に設けられ、前記表示画面の輝度を検出する輝度センサーと、前記輝度センサーの検出結果に基づいて、前記表示画面の輝度むらが無くなるように映像信号を補正する輝度補正部を有する。
【０００７】
また、本発明は、両端部に対して中央部側が窪むように湾曲する表示画面における前記両端部の少なくとも一方の端部に設けられる輝度センサーによって、前記表示画面の輝度を検出し、前記輝度センサーの検出結果に基づいて、前記表示画面の輝度むらが無くなるように映像信号を補正する表示装置の輝度むら補正方法である。
【発明の効果】
【０００８】
以上説明したように、この発明によれば、表示画面が湾曲している表示パネルを含む表示装置において、輝度センサーを湾曲している方向における表示パネルの端部に設置するようにしたので、表示パネルそのものに輝度センサーを設ける場合に比べて、輝度の検出範囲を広くすることができる。これにより、輝度センサー周辺以外についても輝度を検出し、表示状態を検出することができるため、この検出結果を用いて映像信号を補正することで、経年変化によって発生する輝度むらを、外部装置を用いずに精度良く補正することができる。
【図面の簡単な説明】
【０００９】
【図１】この発明の一実施形態による表示装置１の概略の外観を示す斜視図である。
【図２】表示装置１の機能を説明する概略機能構成図である。
【図３】輝度センサー３１、輝度センサー３２とユーザーが表示パネル１０を視認する角度との関係を説明する概念図である。
【図４】各測定位置ＰにおいてユーザーＵが視認する方向と輝度センサー３１が測定する方向のなす角度θの関係を表す図である。
【図５】表示パネル１０の表示面における輝度と視野角との関係を表す輝度−視野角特性を表す図である。
【図６】表示装置１の動作を説明するフローチャートである。
【図７】表示装置１Ａにおける輝度センサー３１、輝度センサー３２とユーザーが表示パネル１０を視認する角度との関係を説明する概念図である。
【図８】第３の実施形態における表示装置１Ｂの機能を説明する概略機能構成図である。
【発明を実施するための形態】
【００１０】
以下、本発明の一実施形態による表示装置について図面を参照して説明する。
図１は、この発明の一実施形態による表示装置１の概略の外観を示す斜視図である。
表示装置１は、表示パネル１０を有する。この表示パネル１０は、端部２１と端部２２の両端部に対して中央部２３周辺が窪むように湾曲形状となっている。すなわち、表示パネル１０は、長手方向において中央部が端部側に対して凹むような円弧状に形成されている。ユーザーＵは、表示装置１によって映像を視聴する場合には、表示装置１の中央部２３に対し、表示装置１の長手方向における左側の端部２１と右側の端部２２が手前側となるような状態で視聴することができる。
【００１１】
この表示パネル１０は、例えば、対角（表示領域）が１２８．４インチ、円弧（表示領域）が３１４５［ｍｍ］、解像度が３８４０×１０８０のサイズであり、長手方向に対して曲率半径Ｒが１５００［ｍｍ］で湾曲され、その曲率半径Ｒが１５００［ｍｍ］である円弧に沿って設置される。表示パネル１０は、湾曲可能な公知の表示素子から構成されていればよく、その一例としては、ＬＣＤパネル（液晶パネル）を用いることができる。
【００１２】
輝度センサー３１は、端部２１において、当該端部２１の垂直方向におけるいずれかの位置に設けられる。ここでは、例えば、輝度センサー３１は、端部２１の垂直方向における略中央に設けられる。輝度センサー３１は、端部２１の垂直方向において複数設けられてもよい。輝度センサー３２は、端部２２において、当該端部２２の垂直方向におけるいずれかの位置に設けられる。ここでは、例えば、輝度センサー３２は、端部２２の垂直方向における略中央に設けられる。輝度センサー３２は、端部２２の垂直方向において複数設けられてもよい。
【００１３】
図２は、図１における表示装置１の機能を説明する概略機能構成図である。
表示パネル１０は、円弧状の内周面側に表示領域Ｗを有しており、この表示領域Ｗに映像信号を表示する。輝度センサー３１は、表示パネル１０の表示領域のうち一部の表示領域を対象として輝度を測定する。ここでは、例えば、表示パネル１０の中央部から端部３２側の領域（表示パネル１０の略右側半分の領域）の輝度を検出し、検出結果である輝度データＫ１をＣＰＵ（中央処理装置）４０に出力する。輝度センサー３２は、表示パネル１０の表示領域のうち一部の表示領域を対象として輝度を測定する。ここでは、例えば、表示パネル１０の中央部から端部３１側の領域（表示パネル１０の略左側半分の領域）の輝度を検出し、検出結果である輝度データＫ２をＣＰＵ４０に出力する。
【００１４】
ＣＰＵ４０は、表示装置１０の各部を制御する。また、ＣＰＵ４０は、外部に設けられた映像信号供給装置から得られる映像信号を画像処理装置５０に出力して表示パネル１０に映像信号を表示させる。また、ＣＰＵ４０は、ＣＰＵ４０内に、視野角特性記憶部４１を有する。ＣＰＵ４０は、輝度センサー３１から得られる輝度データＫ１と、輝度センサー３２から得られる輝度データＫ２と、視野角特性記憶部４１に記憶された視野角特性情報に基づいて、表示パネル１０の湾曲する方向において輝度むらが無くなるように、映像信号の輝度を補正し、補正した映像信号を画像処理装置５０に出力する。視野角特性記憶部４１は、ＣＰＵ４０内の所定のメモリ領域内に格納されており、視野角特性情報を記憶する。
画像処理装置５０は、ＣＰＵ４０から得られた映像信号を表示パネル１０に表示する。
【００１５】
図３は、輝度センサー３１、輝度センサー３２とユーザーが表示パネル１０を視認する角度との関係を説明する概念図である。この図において、ｘ軸は水平方向、ｙ軸は垂直方向、Ｚ軸は、表示装置１に対する奥行き方向を表す。
ユーザーＵは、曲率半径Ｒの中心Ｏに位置しており、表示装置１における表示パネル１０の表示領域Ｗを全体的に視認することができる。表示領域Ｗは、表示パネル１０の中央部を基準として輝度センサー３１が設けられた一端側の領域である表示領域Ｌと、表示パネル１０の中央部を基準として輝度センサー３２が設けられた他端側の領域である表示領域Ｒとを含む。
【００１６】
輝度センサー３１は、表示領域Ｒにおける輝度を検出し、輝度センサー３２は、表示領域Ｒにおける輝度を検出する。輝度センサー３１は、表示領域Ｒの全面について輝度を検出することが好ましいが、表示領域Ｒのうち少なくとも一部（自身が設けられた表示装置１の端部の垂直方向上の位置を基準とした水平方向の範囲）について輝度を検出するようにしてもよい。輝度センサー３２は、表示領域Ｌの全面について輝度を検出することが好ましいが、表示領域Ｌのうち少なくとも一部（自身が設けられた表示装置１の端部の垂直方向上の位置を基準とした水平方向の範囲）について輝度を検出するようにしてもよい。
【００１７】
測定位置Ｐ１、測定位置Ｐ２、測定位置Ｐ３、測定位置Ｐ４、測定位置Ｐ５表示領域Ｒ内における輝度測定位置であり、輝度センサー３１によって検出される測定対象となる位置である。ここで、測定位置Ｐ１からＰ５について、輝度センサー３１で測定される輝度とユーザーＵが視認する輝度の関係について、図４を用いて説明する。図４は、各測定位置Ｐ（Ｐ１〜Ｐ５）においてユーザーＵが視認する方向と輝度センサー３１が測定する方向のなす角度θの関係を表す図である。
【００１８】
輝度センサー３１が、測定位置Ｐ１を測定した場合、測定位置Ｐ１に対するユーザーＵと輝度センサー３１とがなす角度はθ１であり、例えば６０．０°である。
以下同様に、輝度センサー３１が、測定位置Ｐ２を測定した場合、測定位置Ｐ２に対するユーザーＵと輝度センサー３１とがなす角度はθ２であり、例えば、５２．５°である。
輝度センサー３１が、測定位置Ｐ３を測定した場合、測定位置Ｐ３に対するユーザーＵと輝度センサー３１とがなす角度はθ３であり、例えば４５．０°である。
輝度センサー３１が、測定位置Ｐ４を測定した場合、測定位置Ｐ４に対するユーザーＵと輝度センサー３１とがなす角度はθ４であり、例えば３７．５°である。
輝度センサー３１が、測定位置Ｐ５を測定した場合、測定位置Ｐ５に対するユーザーＵと輝度センサー３１とがなす角度はθ５であり、例えば３０．０°である。
ＣＰＵ４０は、上述のような、測定位置に対するユーザーＵと輝度センサーとがなす角度を表す角度データに関し、各測定位置のそれぞれについて、自身の内部の記憶領域に記憶している。
【００１９】
図５は、表示パネル１０の表示面における輝度と視野角との関係を表す輝度−視野角特性を表す図である。縦軸が輝度を表し、横軸が角度を表す。例えば、横軸において正方向が表示パネル１０の一端側に対応し、負方向が表示パネル１０の他端側に対応する。
表示パネル１０における輝度−視野角特性は、視野角が０度（表示パネル１０に対して正面）において最も輝度が高く、視野角０°から離れるほど輝度が低下する（符号ａ）。ここでは、視野角の角度が正方向と負方向において、角度の絶対値が同じであれば、輝度もほぼ同じである。また、暗室コントラストは、視野角によらずほぼ一定である（符号ｂ）。
また、この図に示す輝度−視野角特性は、表示領域Ｗ全域で概ね一様であり、測定位置Ｐ１、測定位置Ｐ２、測定位置Ｐ３、測定位置Ｐ４、測定位置Ｐ５においても一致している。この輝度−視野角特性から、輝度センサー３１で測定した値とユーザーＵが視認する画像の輝度の相間を得ることができる。
【００２０】
次に、輝度センサー３２が表示領域Ｌの輝度を測定する場合、表示領域Ｌ内における測定位置に関し、輝度センサー３２で測定される輝度とユーザーＵが視認する輝度の関係については、輝度センサー３１と表示領域Ｒとの関係とは対称的な構成となっている点が相違するが、その他の特性等は同様であるため、その説明を省略する。なお、表示領域Ｒと表示領域Ｌについて、少なくとも一部の領域が異なっていれば、重複する領域が含まれていてもよい。表示領域Ｒと表示領域Ｌとの一部が重複する場合には、輝度センサー３１と輝度センサー３２のいずれか一方から得られる輝度データを用いて補正を行うようにしてもよい。
【００２１】
次に、図６は、表示装置１の動作を説明するフローチャートである。
ＣＰＵ４０は、輝度センサー３１と輝度センサー３２とによって、各測定位置毎の輝度値を測定し、測定結果である輝度データＫ１、輝度データＫ２を得る（ステップＳ１０１）。ＣＰＵ４０は、輝度センサー３１によって測定位置Ｐ１を測定した際、測定位置に応じた角度θ１を自身の記憶領域内に記憶された角度データを参照することで読み出す。そしてＣＰＵ４０は、得られた角度θ１そして測定位置Ｐ１において測定した輝度データＫ１と、角度θ１と、視野角特性情報に基づいて、輝度データを補正する（ステップＳ１０２）。例えば、ＣＰＵ４０は、視野角特性情報に基づいて、角度が０度である場合の輝度値Ｋ０と、測定位置に対応する角度θである場合の輝度値Ｋθとの輝度の比（Ｋ０／Ｋθ）を算出し、算出された輝度の比を得られた輝度データに乗算することで、輝度データを補正する。
また、ＣＰＵ４０は、視野角特性の補正を行うためのＬＵＴ（ルックアップテーブル）を有する場合には、このルックアップテーブルを用いることで補正を行うこともできる。
ＣＰＵ４０は、この輝度データの補正を、測定位置毎の輝度データＫ１、輝度データＫ２についてそれぞれ行う。
【００２２】
次に、ＣＰＵ４０は、補正された輝度データを元に、表示領域内の輝度むらが無くなるように、表示領域内の輝度の補正対象の位置に応じて映像信号の補正を行う（ステップＳ１０３）。画像処理回路５０は、ＣＰＵ４０によって補正された映像信号を表示パネル１０に表示する。
【００２３】
以上説明した実施形態において、各測定位置Ｐは分散した値であるが線形的に補間することにより、測定位置間における表示領域の視野角特性情報の分布を計算することができる。
【００２４】
また、上述した実施形態によれば、ＣＰＵ４０によって補正された映像信号を元に、表示パネル１０に映像信号を表示するようにしたので、ユーザーＵに対し、常に表示領域Ｗの全域が同じ輝度であるように視認可能に補正して表示することができるため、輝度ムラのない高品質な画像を提供することができる。
また、輝度センサー３１、輝度センサー３２が設置される位置とユーザーＵの位置が異なることにより、ユーザーＵ側から見た輝度と輝度センサー３１あるいは輝度センサー３２側から見た輝度とが視野角の影響により異なる場合であっても、表示パネル１０の視野角特性情報を用いることで測定された輝度を補正して映像信号の補正を行うことができるため、表示パネルの視野角特性の影響を低減させ、ユーザーから見た輝度の均一性、補正精度を高めることができ、より表示品位の高い表示装置を提供することが可能となる。
【００２５】
上述した実施形態において、輝度センサーとして、輝度センサー３１と輝度センサー３２との２つを設けるようにしたが、いずれか１つの輝度センサーを設置するようにしてもよい。この場合、輝度センサーは、表示領域Ｒや表示領域Ｌ等の表示領域のいずれかの端部側を検出するのではなく、表示領域Ｗのうちなるべく広い範囲の表示領域を対象として輝度を検出できることが好ましい。
【００２６】
次に、第２の実施形態における表示装置１Ａについて説明する。
図７は、表示装置１Ａにおける輝度センサー３１、輝度センサー３２とユーザーが表示パネル１０を視認する角度との関係を説明する概念図である。この図において、図３と共通する部分についてはその説明を省略し、異なる部分を説明する。この第２の実施形態において、表示装置１Ａと第１の実施形態における表示装置１では、表示領域Ｗが、複数の表示パネル（表示パネル１０Ａと表示パネル１０Ｂ）を用いて構成される点が異なる。
表示パネル１０Ａは、表示領域Ｗのうち、表示領域Ｌに対応する位置に設けられ、表示領域Ｌに対応する映像信号を表示する。この表示パネル１０Ａの一端側は、表示装置１Ａの一端側に対応しており、輝度センサー３１が設けられる。
表示パネル１０Ｂは、表示領域Ｗのうち、表示領域Ｒに対応する位置に設けられ、表示領域Ｒに対応する映像信号を表示する。この表示パネル１０Ｂの一端側は、表示装置１Ａの他端側に対応しており、輝度センサー３２が設けられる。
表示パネル１０Ａと表示パネル１０Ｂは、例えば、いずれも、対角（表示領域）が６４．２インチ、解像度が１９２０×１０８０のサイズであるＬＣＤパネルが用いられ、長手方向に対して曲率半径Ｒが１５００［ｍｍ］で湾曲され、その曲率半径がＲ１５００［ｍｍ］である円弧に沿って、表示装置１Ａの長手方向に２枚並べて配置される。これにより、表示領域Ｗは、対角（表示領域）が１２８．４インチであり、解像度が３８４０×１０８０となる。
ユーザーＵは、曲率半径の中心Ｏにおいて表示装置１Ａの表示領域Ｗを視認することができる。
【００２７】
第２の実施形態において、表示装置１Ａの動作は、第１の実施形態における表示装置１の動作とほぼ同様である。表示装置１Ａにおける画像処理回路は、ＣＰＵによって補正された映像信号について、表示パネル１０Ａと表示装置１Ｂに表示する。ここでは、補正された映像信号のうち、表示領域Ｌに対応する映像信号を表示装置１Ａに表示し、表示領域Ｒに対応する映像信号を表示パネル１０Ｂに表示する。
以上説明した第２の実施形態によれば、複数のＬＣＤパネルを用いて表示装置を構成する場合であっても、ユーザーＵに対し、常に表示領域Ｗの全域が同じ輝度であるように視認可能に補正して表示することができるため、輝度ムラのない高品質な画像を提供することができる。
【００２８】
ここで、表示パネル１０Ａ、表示パネル１０Ｂに関し、ＬＣＤパネルを湾曲形成するたには、液晶セルガラス、バックライト、光学部材の膨張収縮率を考慮する必要があり、大型パネル化するには、ムラ発生による表示品位の低下やガラス割れによる歩留り低下の懸念がある。
しかし、本実施形態では、表示装置１Ａの湾曲方向へ表示領域を複数に分割（ここでは２分割）し、それぞれの分割領域に対応させてＬＣＤパネルを並べて配置するようにした。これにより、１枚のＬＣＤパネルを湾曲させて表示装置を構成する場合に比べて、簡単に１つのＬＣＤパネルを湾曲形成することができる。そのため、歩留りを低下することなく、優れた表示品位の表示装置を実現することができる。
【００２９】
また、分割した１枚毎のＬＣＤパネルを小さくすることができるため、個々のＬＣＤパネルの梱包形状を小さくすることがき、搬送時の裕度を大きく向上させることができる。
また、上述した実施形態において、表示装置１Ａの湾曲方向への分割数は２分割に限定されることなく、３以上に分割して構成するようにしてもよい。また、表示装置１Ａの短手方向（垂直方向）に複数に分割し、複数の表示パネルを用いて構成するようにしてもよい。また、表示装置１Ａに適用する表示パネルは、ＬＣＤパネルに限定されるものではなく、公知の表示素子からなるパネルを適用することができる。例えば、曲げることが可能な有機ＥＬパネルを用いることもできる。
【００３０】
図８は、第３の実施形態における表示装置１Ｂの機能を説明する概略機能構成図である。表示装置１Ｂは、両端部に対して中央部側が窪むように湾曲する表示画面１０Ｂにおける両端部の少なくとも一方の端部に設けられ、表示画面１０Ｂの輝度を検出する輝度センサー３１Ｂと、輝度センサー３１Ｂの検出結果に基づいて、表示画面１０Ｂの輝度むらが無くなるように映像信号を補正する輝度補正部４０Ｂとを有する。これにより、輝度補正部４０Ｂによって補正された映像信号を表示画面１０Ｂに表示することができる。
【００３１】
上述した実施形態における表示装置におけるＣＰＵあるいは画像処理回路をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Ｆｉｅｌｄ  Ｐｒｏｇｒａｍｍａｂｌｅ  Ｇａｔｅ  Ａｒｒａｙ）等のプログラマブルロジックデバイスを用いて実現されるものであってもよい。
【００３２】
以上、この発明の実施形態について図面を参照して詳述してきたが、具体的な構成はこの実施形態に限られるものではなく、この発明の要旨を逸脱しない範囲の設計等も含まれる。
【符号の説明】
【００３３】
１、１Ａ、１Ｂ  表示装置
１０、１０Ａ、１０Ｂ  表示パネル
１１Ｂ  表示画面
２１、２２  端部
３１、３２、３１Ｂ、  輝度センサー
４０  ＣＰＵ（中央処理装置）
４０Ｂ  輝度補正部
４１  視野角特性記憶部
５０  画像処理回路
【図１】
2017156383.tif 000003
【図２】
2017156383.tif 000004
【図３】
2017156383.tif 000005
【図４】
2017156383.tif 000006
【図５】
2017156383.tif 000007
【図６】
2017156383.tif 000008
【図７】
2017156383.tif 000009
【図８】
2017156383.tif 000010